(57)【要約】      （修正有）【課題】従来のタオル生地では満たすことのできない接触時冷感効果と長時間の冷感持続効果の両方を兼ね備えた冷感タオルマフラーを提供する。【解決手段】パイル糸、グランドたて糸および緯糸で織成されたパイルタオル生地からなるマフラーであり、パイルタオル生地が、２種の異素材パイル糸からなり、２種の異素材パイル糸がそれぞれ交互に隣接してパイルループ２、３を形成している。【選択図】図２
0003229998.tif 000002
【実用新案登録請求の範囲】
【請求項１】
２種の異素材パイル糸、グランドたて糸および緯糸で織成されたパイルタオル生地からなり、その２種の異素材パイル糸が１本又は複数本数ずつでそれぞれ交互に隣接してパイルループを形成していることを特徴とする冷感タオルマフラー。
【請求項２】
２種の異素材パイル糸がポリエチレン糸および綿糸である請求項１に記載の冷感タオルマフラー
【請求項３】
ポリエチレン糸が超高分子ポリエチレン糸である請求項２に記載の冷感タオルマフラー。
【請求項４】
パイルタオル生地が、パイル組織と地組織を総アゲ及び総オチ状態にして、織柄模様を形成している請求項１乃至３のいずれかに記載の冷感タオルマフラー。
【請求項５】
ポリエチレン糸の含有量が全タオルマフラー重量に対して少なくとも４０重量％以上である請求項１乃至４のいずれかに記載の冷感タオルマフラー。
【考案の詳細な説明】
【技術分野】
【０００１】
本考案は、日常生活だけでなく、レジャー、スポーツ、散歩，畑仕事、通勤など幅広い生活環境の中での熱中症対策、殊に熱中症予防に有用なマフラーに関するものである。
【背景技術】
【０００２】
パイル組織で織成されたタオル地に冷感機能をもたせたタオル地が知られている。
【０００３】
冷感タオル地の例として、例えば特許文献１には、よこ糸と地たて糸とパイルたて糸からなり、片面パイル組織もしくは両面パイル組織で織成されたタオル地であり、前記パイルたて糸の少なくとも一部が超高分子量ポリエチレン繊維からなるタオル地が示されている。
【０００４】
しかしながらこのタオル地は、着用直後の冷感効果は抜群であるものの、保水、吸水効果が小さいので長時間の冷感保持は望めないのが弱点であり、接触冷感を長時間に亘って持続できるタオル生地が強く求められていた。
【先行技術文献】
【特許文献】
【０００５】
【特許文献１】登録実用新案第３１７５１２６号公報
【考案の概要】
【考案が解決しようとする課題】
【０００６】
本考案は、上記従来技術の流れと要求に鑑み、（１）従来のタオル生地では満たすことができない接触冷感効果と（２）長時間の冷感効果の両方を兼ね備えた冷感タオルマフラーを提供することを課題とする。
【課題を解決するための手段】
【０００７】
上記課題を解決する手段、すなわち本考案の構成は、２種の異素材パイル糸、グランドたて糸および緯糸で織成されたパイルタオル生地からなり、その２種の異素材パイル糸が１本又は複数本数ずつでそれぞれ交互に隣接してパイルループを形成していることを特徴とする冷感タオルマフラーである。
【０００８】
２種の異素材パイル糸はポリエチレン糸および綿糸であることが好ましい。
【０００９】
ポリエチレン糸は超高分子量ポリエチレン糸であることが好ましい。
【００１０】
パイルタオル生地が、パイル組織と地組織を図２で示されるように総アゲ及び総オチ状態にしてなる織柄模様を形成させることが好ましい。
【００１１】
織模様はジャガード機あるいはドビー織機で好みの模様に製織することが可能である。
【００１２】
ポリエチレン糸の含有量が全タオルマフラー重量に対して少なくとも４０重量％以上、特に５０重量％以上であることが好ましい。
【考案の効果】
【００１３】
本考案のタオルマフラーは、通気性が良好で且つ軽く、肌触りが良く柔らかいのはもちろんであるが、パイル糸が２種の異素材パイル糸からなり、前記２種の異素材パイル糸がそれぞれ交互に隣接してパイルループを形成、所謂、毛違いパイルループを形成しているので、毛違いを構成する異なった夫々の糸による夫々の作用効果が期待され、殊にポリエチレン糸と綿糸の組み合わせにおいては、ポリエチレン糸は肌に接触させた瞬間から冷感を発生させ、同時に綿糸が肌からの汗や水分を吸収することで冷感の持続時間を遷延させる機能を有しており、野外での熱中症対策はもちろん、冷房空間での補助アイテムとしても使用できる冷感タオルマフラーが提供できる。
【図面の簡単な説明】
【００１４】
【図１】本考案の冷感タオルマフラーを示す見取り図である。
【図２】本考案の実施例である冷感タオルマフラーの異素材パイルループ組織と総アゲ、総オチ柄模様を示す概略図である。
【考案を実施するための形態】
【００１５】
本考案は、パイル糸、グランドたて糸および緯糸で織成されたパイルタオル生地からなるマフラーであり、前記パイルタオル生地が、２種の異素材パイル糸からなり、前記２種の異素材パイル糸がそれぞれ交互に隣接してパイルループを形成（所謂、毛違いパイル構造）しているところに特徴がある。
【００１６】
タオル生地は、タオル織機を用いて製造される。製織時、パイル糸はポリエチレン糸及び綿糸をそれぞれ別パイル糸として供給してパイルループを形成する。さらにポリエチレンパイルループと綿パイルループが交互に隣接してループが形成される。
【００１７】
本考案は、２種類の異素材パイル糸が１本又は複数本ずつそれぞれ交互に隣接してパイルループを形成するところに特徴があり、隣接する異素材パイルループは１本交互でもよく、あるいは複数本交互でもよい。本考案者の検討によれば、接触冷感効果が働くと同時に綿パイルによる汗吸い効果が働き、ポリエチレンパイルの冷却効果の持続機能が増加させるためには、1本置きの交互隣接構成とするが特に好ましいが、２本置きの交互隣接構成や３本置きの交互隣接構成、あるいは２本／１本置きや３本／２本置きといった交互隣接構成であっても良い。
【００１８】
本考案のタオル生地は、タオル織機、ジャガード機、ドビー紋織機等で製織することが可能であり、片面パイル織でも両面パイル織であっても良い。特に表面にパイル地を、その裏面はグランド地（パイルが出ていない地）が出るように組織化して、パイル組織と地組織を総アゲ及び総オチ状態にして、織模様を形成させた生地とすることが好ましい。
【００１９】
本考案のタオル生地の好ましい態様としては、図２に示されるようにタオル生地の柄模様を総アゲ、総オチにすることが好ましい。この場合にあっては、総オチ部では綿糸の吸水性が働いて肌に当たる部分では汗の吸収をよくし、総アゲ部ではポリエチレン糸のパイルが肌に接することで冷感時間を増加させることができる。このようにすれば、総オチ部が綿糸であることにより、汗で濡れた綿糸による肌へのべたつき感を大きく軽減することも可能となり、ポリエチレン糸による冷感効果が持続することによって、着用感は著しく改善される。
かかる総オチ部と総アゲ部の柄模様はジャガード機、ドビー織機を用いることで、所望のデザインや柄出しが可能となる。
【００２０】
本考案のタオルマフラーは、異素材パイル、すなわち、ポリエチレン糸パイルループと綿糸パイルループが１本ずつ或いは複数本ずつ交互に隣接して出現する、所謂毛違いのパイルループを構成するので、パイルが肌に触れたときに、ポリエチレンパイルで接触冷感効果が働くと同時に綿パイルによる汗吸い効果が働き、ポリエチレンパイルの冷却効果の持続機能が増加する。従来公知のパイルでは同一素材からなるポリエチレンパイル（所謂，並パイル）であるから、肌に触れた時点では直ちに冷感をもたらすが、ポリエチレン自体は吸水力が弱いので水分が瞬時に蒸散・乾燥して冷却効果の持続性が極めて不十分であったという弱点を大きく改善することができる。
【００２１】
本考案に用いるポリエチレン糸は特に超高分子量ポリエチレン糸が好ましい。かかる超高分子量ポリエチレン糸は、他の汎用素材と比べて熱伝導率が大きいので、タオル地のパイルに用いることで、接触時の冷感効果が期待できる。
【００２２】
超高分子量ポリエチレン糸をパイルヤーンとして用いる場合、超高分子量ポリエチレン糸を例えば１本撚糸または２本撚糸とし、インチ当り、３〜８回の撚り数を与えて用いることができる。
【００２３】
本考案のタオルマフラーは、通気性が良く、軽く、且つ肌触りが良く、柔らかいのはもちろんであるが、パイルが毛違い構造を形成しており、肌に接触させるとポリエチレン糸による接触冷感が働き、同時に肌からの汗や水分を綿糸が吸収して保有するので２種の素材の特性が補完されて、冷感の持続時間が助長される。野外での熱中症対策はもちろん、冷房の補助アイテムとして使用することのできる、今までにない冷感タオルマフラーが提供できる。
【符号の説明】
【００２４】
１：タオルマフラー
２：ポリエチレン糸パイルループ
３：綿糸パイルループ
４：総アゲ
５：総オチ
【図１】
0003229998.tif 000003
【図２】
0003229998.tif 000004